(57)【要約】【課題】特には天井あるいは壁面に照明を当てて間接照明とする機能を有する間接照明機能付きルーバーを提供すること。【解決手段】壁面あるいは天井に設けた枠組みに隙間をあけて平行に複数の細長い矩形状装飾部材を組み合わせてなり、前記矩形状装飾部材の壁面側あるいは天井側を除いた面に化粧シートを貼り合わせてなり、前記矩形状装飾部材の壁面側あるいは天井側に、間隔を置いて複数の発光箇所を設けた線状ＬＥＤモジュールを壁面側あるいは天井側に向かって発光するように組み込んでなり、前記線状ＬＥＤモジュール同士及び前記ＬＥＤモジュールと電源装置とを中継線で結線してなることを特徴とする。【選択図】  図１
2014066028.tif 000002
【特許請求の範囲】
【請求項１】
壁面あるいは天井に設けた枠組みに隙間をあけて平行に複数の細長い矩形状装飾部材を組み合わせてなり、前記矩形状装飾部材の壁面側あるいは天井側を除いた面に化粧シートを貼り合わせてなり、前記矩形状装飾部材の壁面側あるいは天井側に、間隔を置いて複数の発光箇所を設けた線状ＬＥＤモジュールを壁面側あるいは天井側に向かって発光するように組み込んでなり、前記線状ＬＥＤモジュール同士及び前記ＬＥＤモジュールと電源装置とを中継線で結線してなることを特徴とする間接照明機能付きルーバー。
【請求項２】
前記矩形状装飾部材は壁面側あるいは天井側に開口部を有してなり、前記線状ＬＥＤモジュールは前記矩形状装飾部材の内部に組み込んでなることを特徴とする請求項１記載の間接照明機能付きルーバー。
【請求項３】
前記矩形状装飾部材の壁面側あるいは天井側と、壁面あるいは天井との距離が５０ｍｍ〜１５０ｍｍであることを特徴とする請求項１記載の間接照明機能付きルーバー。
【発明の詳細な説明】
【技術分野】
【０００１】
本発明は建築物内の天井あるいは建築物内外の壁面に設けた枠組みに組み合わせて遮蔽や遮光や装飾などを目的として配置するルーバーに関し、特には天井あるいは壁面に照明を当てて間接照明とする機能を有する間接照明機能付きルーバーに関する。
【背景技術】
【０００２】
天井や壁面に照明を設けることは近年の住宅事情で省スペースが求められることから色々な方法で試みられているが、リフォームなどとして後から設けるとなると大掛かりな造作工事が必要となり、好適ではない。また直接照明では意匠的にもありきたりな設計となりがちであり工夫できる点も少ない。
【先行技術文献】
【特許文献】
【０００３】
【特許文献１】特開２００７−１４６３９５
【発明の概要】
【発明が解決しようとする課題】
【０００４】
本発明はこのような問題点を解決するためになされたものであり、すなわちその課題とするところは、特には天井あるいは壁面に照明を当てて間接照明とする機能を有する間接照明機能付きルーバーを提供することにある。
【課題を解決するための手段】
【０００５】
本発明はこの課題を解決したものであり、その請求項１記載の発明は、壁面あるいは天井に設けた枠組みに隙間をあけて平行に複数の細長い矩形状装飾部材を組み合わせてなり、前記矩形状装飾部材の壁面側あるいは天井側を除いた面に化粧シートを貼り合わせてなり、前記矩形状装飾部材の壁面側あるいは天井側に、間隔を置いて複数の発光箇所を設けた線状ＬＥＤモジュールを壁面側あるいは天井側に向かって発光するように組み込んでなり、前記線状ＬＥＤモジュール同士及び前記ＬＥＤモジュールと電源装置とを中継線で結線してなることを特徴とする間接照明機能付きルーバーである。
【０００６】
またその請求項２記載の発明は、前記矩形状装飾部材は壁面側あるいは天井側に開口部を有してなり、前記線状ＬＥＤモジュールは前記矩形状装飾部材の内部に組み込んでなることを特徴とする請求項１記載の間接照明機能付きルーバーである。
【０００７】
またその請求項３記載の発明は、前記矩形状装飾部材の壁面側あるいは天井側と、壁面あるいは天井との距離が５０ｍｍ〜１５０ｍｍであることを特徴とする請求項１記載の間接照明機能付きルーバーである。
【発明の効果】
【０００８】
本発明はその請求項１記載の発明により、枠組みと矩形状装飾部材とを用いることで壁面や天井への造作工事を必要としない。また化粧シートの貼り合わせにより十分な意匠性を持たせることが可能となり、壁面側あるいは天井側にＬＥＤモジュールを設けることで壁面あるいは天井側への間接照明を可能とし、中継線と電源装置により、ＬＥＤの点灯を容易に可能とする。
【０００９】
またその請求項２記載の発明により、開口部を有する矩形状装飾部材の内部にＬＥＤモジュールを設けることで、ＬＥＤモジュールの位置決めが容易なものとなり、開口部によりより優れた間接照明とすることが可能となる。
【００１０】
またその請求項３記載の発明により、ＬＥＤモジュールと壁面あるいは天井との距離を限定することでより効率的で意匠感のある間接照明とすることが可能となる。
【図面の簡単な説明】
【００１１】
【図１】本発明の間接照明機能付きルーバーの一実施例の壁面に設けた場合の外観を示す説明図である。
【図２】本発明の間接照明機能付きルーバーの一実施例の矩形状装飾部材の断面の形状を示す説明図である。
【図３】本発明の間接照明機能付きルーバーの一実施例のＬＥＤモジュールと中継線と電源装置を結線した状態を示す説明図である。
【発明を実施するための形態】
【００１２】
以下本発明を図面に基づき詳細に説明する。図１に示すように、壁面１に枠組み２が設けられ、複数の矩形状装飾部材３が隙間をあけて平行に設けられてなり、ルーバーを構成している。矩形状装飾部材３の壁面側を除く外面には化粧シート４を貼り合わせてなり、矩形状装飾部材３の壁面側にはＬＥＤモジュール５が配置され、中継線６によりそれぞれと電源装置７とに結線されてなる。
【００１３】
壁面１は室内あるいは屋外の壁面であって、具体的には室内、ビルなどのエントランス、地下街の壁面など、間接照明を有するルーバーによる装飾が求められる箇所であれば特に限定するものではなく、適用可能である。
【００１４】
枠組み２は後述する複数の矩形状装飾部材３を固定して配置できるようになるものであれば良く、特に限定するものではないが、壁面のルーバーを構成する範囲に設ける縦の枠と、天井あるいは床からある程度間隔をあけた箇所にもうける横の枠とを組み合わせてなるものが好適に用いられる。構成材料としては複数の矩形状装飾部材３をボルト・ナットなどで止めることの出来る金属製が好適であり、特には加工適性などからアルミニウム製が好ましい。
【００１５】
矩形状装飾部材３としては、長尺の平板材を断面コ字上に折り曲げたものや押し出し加工したもので、壁面側に開口部を有するものが好適に用いられる。開口部以外の矩形状装飾部材３の外面に化粧シートを貼りあわせることで意匠的にも優れたものとなる。具体的には木目調の化粧シートを貼り合わせることで矩形状装飾部材３が木材からなるもののように見えるものや石目調の化粧シートを貼り合わせることで矩形状装飾部材３が石材からなるもののように見えるようになる。
矩形状装飾部材３は前記枠組み２にボルト・ナットなどで止めることで複数を配置することが可能となる。壁面１からの距離は５０ｍｍ〜１５０ｍｍが好適である。近すぎたり離れすぎたりすると間接照明としての効果が得られない。
【００１６】
化粧シート４としては、着色基材、絵柄模様層、透明樹脂層などからなるものが一般的であり、用いる構成材料としては、着色基材には、ポリプロピレンもしくはポリエチレンの５０〜１００μｍ厚みのシート、絵柄模様層にはウレタン系インキで１〜２μｍ厚みの印刷を２〜４柄重ね刷りしたもの、透明樹脂層にはアクリルもしくはフッ素、あるいはアクリルとフッ素を共押し出しした３０〜１００μｍ厚みのシートなどが好適であるが、特には耐候性の点で透明樹脂層にはアクリルとフッ素を共押し出ししたシートで最表層側にフッ素を配置したシートが好ましい。また透明樹脂層内に適宜紫外線吸収剤、紫外線安定剤などの添加剤を用いても良いし、透明樹脂層上に表面保護層として紫外線吸収剤や紫外線安定剤を添加した熱硬化性樹脂をコーティングしたりしても良い。
【００１７】
ＬＥＤモジュール５としては、複数のＬＥＤを結線したものであれば良いが、細長いアルミ基材などにＬＥＤを位置決めして貼り合わせてから結線したものであれば、これを前記矩形状装飾部材３の壁面側に貼り合わせることでＬＥＤの位置決めが容易となるため、好ましい。具体的には音羽電機工業（株）製「ＦＵＬＬ４４Ｗ１００１」「ＦＵＬＬ４４Ｗ２８０１」「ＦＵＬＬ４４Ｗ１００２」「ＦＵＬＬ４４Ｗ２８０２」「ＦＵＬＬ４４Ｗ１００３」「ＦＵＬＬ４４Ｗ２８０３」などが好適に用いられる。
【００１８】
中継線６はＬＥＤモジュール同士５を接続したり、ＬＥＤモジュール５と後述する電源装置７とを接続したりするために用いるものであり、従来ある中継ケーブルなどを電源やＬＥＤの規格に合わせて適宜もちいればよく、特に限定するものではない。具体的には音羽電機工業（株）製「ＵＬＳＴＹＬＥ１６７２−５００Ｐ」「Ｓ−ＶＣＴ０７５−０２Ｃ−３ＭＰ」などが好適に用いられる。
【００１９】
電源装置７としては、前記ＬＥＤモジュール５や中継線６の許容電流量内の仕様となる電源容量や電圧を満たすものであれば特に限定するものではなく、用いることが可能である。具体的には、音羽電機工業（株）製「ＦＥＣ０６０Ｌ２４Ｐ」などが好適に用いられ、適宜雷サージ対策や漏電対策を施すことが好ましい。
【産業上の利用可能性】
【００２０】
本発明の間接照明機能付きルーバーは、建築物内の天井あるいは建築物内外の壁面に設けた枠組みに組み合わせて遮蔽や遮光や装飾などに利用可能である。
【符号の説明】
【００２１】
１…壁面
２…枠組み
３…矩形状装飾部材
４…化粧シート
５…ＬＥＤモジュール
６…中継線
７…電源装置
【図１】
2014066028.tif 000003
【図２】
2014066028.tif 000004
【図３】
2014066028.tif 000005